(57)【要約】【課題】送風機吸気口と対向した設置面に存在する水が滞留し、送風機吸気口から手乾燥装置の内部に侵入してしまうことを防止することができる手乾燥装置を提供する。【解決手段】使用者の手に空気を吹き付けて乾燥させる手乾燥装置において、設置面に設置され、使用者の手が挿入される空間である手乾燥室が形成されてなるハウジングと、ハウジングの背面に形成された送風機吸気口と、送風機吸気口から吸い込んだ空気を手乾燥室へ噴出するように空気を送出する送風機と、を備え、送風機吸気口に、手乾燥装置を設置面に設置した状態で設置面と接触し、上方から下方へと水を誘導するガイド部材が設けられている。【選択図】図４
2015066229.tif 000002
【特許請求の範囲】
【請求項１】
使用者の手に空気を吹き付けて乾燥させる手乾燥装置において、
設置面に設置され、使用者の手が挿入される空間である手乾燥室が形成されてなるハウジングと、
前記ハウジングの背面に形成された送風機吸気口と、
前記送風機吸気口から吸い込んだ空気を前記手乾燥室へ噴出するように空気を送出する送風機と、
を備え、
前記送風機吸気口に、前記手乾燥装置を前記設置面に設置した状態で前記設置面と接触し、上方から下方へと水を誘導するガイド部材が設けられていることを特徴とする手乾燥装置。
【請求項２】
前記ガイド部材は、少なくとも前記送風機吸気口の上端と下端との間に鉛直方向に形成されていることを特徴とする請求項１に記載の手乾燥装置。
【請求項３】
前記送風機吸気口の左右方向に、複数の前記ガイド部材が設けられていることを特徴とする請求項１または２に記載の手乾燥装置。
【発明の詳細な説明】
【技術分野】
【０００１】
本発明は、手乾燥室に挿入された使用者の手に空気を吹き付けて乾燥させる手乾燥装置に関する。
【背景技術】
【０００２】
従来、洗浄後の濡れた手を乾燥させる装置として、手乾燥室に挿入された使用者の手に空気を吹き付けて乾燥させる手乾燥装置が知られている。例えば、特許文献１に記載の手乾燥装置では、使用者の手が挿入される空間である手乾燥室が形成されてなるハウジングを設けており、このハウジングの背面に、送風機への空気の吸い込みの口となる送風機吸気口を設けている。使用者が濡れた手を手乾燥室に挿入し、送風機吸気口から送風機へと吸い込まれた空気がノズルから手乾燥室に噴射されることによって手に付いた水滴を飛ばして乾燥する。そのため、水滴を伴った空気が送風機吸気口からハウジングの内部に吸い込まれると、その水滴がそのまま送風機に送り込まれ、送風機が故障する原因ともなりうる。
【０００３】
特許文献１に記載の手乾燥装置では、水滴を伴った空気がハウジング内部へ侵入することを防止する対策として、送風機吸気口をハウジングの背面に設けている。これにより、空気に含まれる水滴が、吸気口からハウジング内部への侵入を防止している。
【先行技術文献】
【特許文献】
【０００４】
【特許文献１】特開２００９−１２７６８８号公報
【発明の概要】
【発明が解決しようとする課題】
【０００５】
しかしながら、手乾燥装置は、送風機吸気口付近にて、送風機の吸い込む力が働いて空気流が乱流する。そのため、手乾燥装置が設置面に設置される場合、特許文献１のような手乾燥装置では、結露の発生や手乾燥装置の掃除などにより、手乾燥装置が設置される設置面において、送風機吸気口と対向した面に存在する水が、重力により設置面に沿って流れようとしても、送風機吸気口付近と対向した設置面で滞留してしまうという問題があった。このようになると、送風機吸気口と対向した設置面で滞留した水が送風機吸気口から手乾燥装置の内部に浸入してしまい、手乾燥装置が故障する畏れがあった。
【０００６】
そこで、本発明では、送風機吸気口と対向した設置面に存在する水が滞留し、送風機吸気口から手乾燥装置の内部に侵入してしまうことを防止することができる手乾燥装置を提供することを目的とする。
【課題を解決するための手段】
【０００７】
上記目的を達成するため、本発明のうち第１の態様に係る手乾燥装置においては、使用者の手に空気を吹き付けて乾燥させる手乾燥装置において、設置面に設置され、使用者の手が挿入される空間である手乾燥室が形成されてなるハウジングと、前記ハウジングの背面に形成された送風機吸気口と、前記送風機吸気口から吸い込んだ空気を前記手乾燥室へ噴出するように空気を送出する送風機と、を備え、前記送風機吸気口に、前記手乾燥装置を前記設置面に設置した状態で前記設置面と接触し、上方から下方へと水を誘導するガイド部材が設けられていることを特徴とする。
【０００８】
このような構成の手乾燥装置によれば、送風機吸気口に、手乾燥装置を設置面に設置した状態で、設置面と接触し、上方から下方へと水を誘導するガイド部材が設けられているため、送風機の吸い込む力が働くことにより送風機吸気口付近で空気流が乱流し、送風機吸気口と対向した設置面に存在する水が滞留しようとしても、その水はガイド部材に衝突して集められ、重力により上方から下方へと流れていく。すなわち、送風機吸気口にガイド部材が設けられていることで、送風機吸気口と対向した設置面に存在する水を滞留させることなく、上方から下方へと誘導することができる。従って、送風機吸気口と対向した設置面に存在する水が滞留し、送風機吸気口から手乾燥装置の内部に侵入してしまうことを防止することができる。
【０００９】
本発明のうち第２の態様に係る手乾燥装置は、ガイド部材が少なくとも送風機吸気口の上端と下端との間に鉛直方向に形成されていることを特徴とする。このような構成の手乾燥装置によれば、ガイド部材は少なくとも送風機吸気口の上端と下端との間に鉛直方向に形成されているため、送風機吸気口付近と対向する設置面に滞留しようとする水を最短距離で誘導することができる。
【００１０】
本発明のうち第３の態様に係る手乾燥装置は、前記送風機吸気口に、複数の前記ガイド部材が設けられていることを特徴とする。このような構成の手乾燥装置によれば、送風機吸気口に複数のガイド部材が設けられているため、送風機吸気口と対向した設置面に存在する水を上方から下方へと効率よく誘導することができる。
【発明の効果】
【００１１】
本発明によれば、手乾燥装置が設置される設置面に存在する水が送風機吸気口付近と対向する設置面で滞留し、送風機吸気口から手乾燥装置の内部に侵入してしまうことを防止することができる。
【図面の簡単な説明】
【００１２】
【図１】本発明の実施形態に係る手乾燥装置を示す斜視図である。
【図２】本発明の実施形態に係る手乾燥装置の中央近傍における縦断面図である。
【図３】本発明の実施形態に係る手乾燥装置の背面図である。
【図４】本発明の実施形態に係る手乾燥装置の底面斜視図である。
【図５】本発明の実施形態に係る手乾燥装置の送風機吸気口を前方側から見た状態を示す図である。
【発明を実施するための形態】
【００１３】
本発明に係る手乾燥装置は、使用者の手に空気を吹き付けて乾燥させる手乾燥装置において、設置面に設置され、使用者の手が挿入される空間である手乾燥室が形成されてなるハウジングと、ハウジングの背面に形成された送風機吸気口と、送風機吸気口から吸い込んだ空気を手乾燥室へ噴出するように空気を送出する送風機と、を備え、送風機吸気口に、手乾燥装置を設置面に設置した状態で設置面と接触し、上方から下方へと水を誘導するガイド部材が設けられていることで、送風機吸気口と対向した設置面に存在する水が滞留し、送風機吸気口から手乾燥装置の内部に侵入してしまうことを防止することができるものである。以下、本発明の実施形態を説明する。
【００１４】
本発明の実施形態に係る手乾燥装置について、図１から図４を参照しながら説明する。
図１は、本発明の実施形態に係る手乾燥装置ＨＤを示す斜視図である。図２は、図１に示す手乾燥装置ＨＤの中央近傍における縦断面図である。図３は、図１に示す手乾燥装置の背面図である。図４は、図１に示す手乾燥装置の底面斜視図である。
【００１５】
図１に示すように、鉛直上方に向かう方向をｙ軸の正方向とし、手乾燥装置ＨＤの前方側に向かう方向（手乾燥装置ＨＤが取り付けられる壁面Ｗの法線方向）をｚ軸の正方向とする。また、手乾燥装置ＨＤの左方向（手乾燥装置ＨＤが取り付けられる壁面Ｗに向かって右側に向かう方向）をｘ軸の正方向とする。図２以降においても、ｘ軸、ｙ軸、ｚ軸を同様に設定し、説明のために適宜用いるものとする。
【００１６】
手乾燥装置ＨＤは、ハウジング２内に種々の機能部品を組み込んで構成されている。ハウジング２は、第１ハウジング部材２ａと、第２ハウジング部材２ｂとを有する。第１ハウジング部材２ａは、設置面である壁面Ｗ側が開放された略立方体形状をなしている。第２ハウジング部材２ｂは、設置面である壁面Ｗに沿う部分と、その下方からｚ軸正方向に突出する部分とによって構成されている。ハウジング２の両側には、吸気口２ｃがそれぞれ設けられている。吸気口２ｃは、ハウジング２が壁面Ｗに当接する奥側に、縦長のスリット状切欠きとして形成されている。吸気口２ｃは、第１ハウジング部材２ａと第２ハウジング部材２ｂとの双方に渡って形成されている。
【００１７】
手乾燥装置ＨＤには、手乾燥室３が形成されている。手乾燥室３は、上板部４ａと、背板部４ｂと、下板部４ｃとによって３方が確定される空間である。上板部４ａは、第１ハウジング部材２ａの下面（ｙ軸負方向に向く面）として形成されている。背板部４ｂは、第２ハウジング部材２ｂの壁面Ｗ側に沿う面として形成されている。下板部４ｃは、第２ハウジング部材２ｂの下方に配置される面として形成されている。
【００１８】
従って、手乾燥室３は、第１ハウジング部材２ａと第２ハウジング部材２ｂとを組み合わせることで形成される空間である。手乾燥室３の下方には、水受け部５が設けられている。
【００１９】
第１ハウジング部材２ａの内部には、ブロアー２０（送風機）とノズル９とが配置されている。ブロアー２０は、モーター１６と、ターボファン（図に明示せず）と、ブロアーケース２１とを有している。モーター１６は、ターボファンを回転させるための駆動源として機能している。モーター１６及びターボファンは、吸込側を背面側にし、排気側を前方側にした状態で、ブロアーケース２１内に収められている。
【００２０】
ブロアーケース２１の前側下部には吹出口８が開設されている。吹出口８には、ブロアー２０により生成された高圧空気を手乾燥室３に噴出するためのノズル９が装着されている。ノズル９は、使用者の手に向けて高圧空気を吹き出すためのものであって、その噴射口を下方に向けた状態で上板部４ａに配置されている。ブロアーケース２１の吹出口とノズル９との間には、ここを通過する高圧空気を昇温するヒーター１８が配置されている。  
【００２１】
第１ハウジング部材２ａの内部には更に、センサー１０と、制御部（図に明示せず）とが配置されている。制御部は、センサー１０、モーター１６、及びヒーター１８の駆動を制御する部分である。センサー１０が手乾燥室３に差し込まれた使用者の手を検出すると、センサー１０の検出結果を受けた制御部がモーター１６を駆動する。センサー１０が使用者の手を検知しなくなると、センサー１０の非検出結果を受けた制御部がモーター１６を停止する。制御部は、モーター１６と同期させてヒーター１８を駆動・停止する。
【００２２】
このような構成により、使用者が手乾燥室３に濡れた手を挿入すると、ノズル９から自動的に空気が吹き出され、手に付着している水滴を吹き飛ばしながら手の乾燥が行われる。また、使用者が手乾燥室３から手を引きだすと、ノズル９からの空気の吹き出しは自動的に停止される。
【００２３】
水受け部５は、ノズル９により吹き飛ばされた水滴を受け取るため、第２ハウジング部材２ｂ下方に形成されている。水受け部５は、下板部４ｃと、その更に下方に設けられ、水滴を貯留する水受けトレイ（図に明示せず）とを有している。下板部４ｃには、水受けトレイに水滴を落下させるための排水口が形成されている。水受けトレイは着脱可能となっているため、水受けトレイを取り外すことによって水受けトレイ内の水を容易に捨てることができる。
【００２４】
図３及び図４に示すように、第１ハウジング部材２ａの背板部４ｄには、ブロアー吸気口２２が形成されている。背板部４ｂは、第１ハウジング部材２ａの壁面Ｗ側に沿う面として形成されている。吸気口２ｃから吸い込まれた空気は、ブロアー吸気口２２を通り、ブロアー２０へと吸い込まれていく。ブロアー吸気口２２には、縦板（ガイド部材）２８と、縦板２８を支えるための横板２９が形成されている。縦板２８は、ブロアー吸気口２２の上端２２ａと下端２２ｂとの間に鉛直方向（ｙ軸方向）に形成されており、手乾燥装置ＨＤを設置面である壁面Ｗに設置した状態で、縦板２８の背面（ｚ軸負方向に向く面）と、壁面Ｗとが接触するよう形成されている。横板２９は、縦板２８の強度を確保するためのものであり、ｙ軸方向におけるブロアー吸気口２２の略中央、且つ、ブロアー吸気口２２の左右両端との間に縦板２８と直行する方向（ｘ軸方向）に沿って形成されている。手乾燥装置ＨＤを壁面Ｗに設置した状態で、横板２９の背面（ｚ軸負方向に向く面）と、壁面Ｗとは接触しない。本実施形態では、横板２９が鉛直方向（ｙ軸方向）におけるブロアー吸気口２２の略中央に１本形成されており、縦板２８は、ｘ軸方向におけるブロアー吸気口２２の略中央に１本と、その両側に１本ずつの計３本形成されている。
【００２５】
上板部４ａには、前述のように、使用者の手に向けて高圧空気を吹き出すためのノズル９が設けられている。ノズル９は、上板部４ａの前方側に配設されている。ノズル９の吹き出し方向は、下方且つ背板部４ｂに向かう方向に吹き出すように形成されている。手乾燥室３内に挿入された使用者の手は、その先端（指先）が斜め下方に向かった状態となっている。このため、ノズル９から吹き出された空気は使用者の手に沿って流れることとなり、使用者の手に付着した水滴を効率的に吹き飛ばすことができる。ノズル９から使用者の手に沿う方向に吹き出されて手の表面を通過した空気は、少なくともその一部が背板部４ｂに当たる。
【００２６】
手乾燥室３内は水滴や埃が乗った風が流れる場所であるので、手乾燥室３を確定する上板部４ａと背板部４ｂと下板部４ｃとは一体的に継ぎ目なく形成することが、ハウジング２内への水滴や埃の侵入を防止する観点から好ましいものである。しかしながら、図１及び図２に示すように、ハウジング２全体の形状が複雑なものであることから、ハウジング２を第１ハウジング部材２ａと第２ハウジング部材２ｂとに分割して形成する必要がある。そこで本実施形態では、第１ハウジング部材２ａと第２ハウジング部材との密着性を高めて、水滴や埃がハウジング２の内部に入り込みにくくするため嵌合構造を設けている。
【００２７】
続いて、図３を参照しながら、ハウジング２内部の空気流路について説明をする。図３に示すように、手乾燥装置ＨＤの背面側からみて左側には、空気分割壁２３が設けられている。空気分割壁２３は、吸気口２ｃとブロアー吸気口２２との間に設けられている。
【００２８】
空気分割壁２３は、対面して設けられている一方の吸気口２ｃから吸い込んだ空気を、入口空気流路２４を通して受け、その受けた空気を第１空気流路２５と第２空気流路２６とに分けて、それぞれの空気流路に別れて流れた空気をブロアー吸気口２２に供給するように設けられている。第１空気流路２５は、空気分割壁２３の上方（手乾燥装置ＨＤを壁面Ｗに設置した場合の上方であり、ｙ軸方向において上方である）から迂回して、ブロアー吸気口２２に至る空気流路である。第２空気流路２６は、空気分割壁２３の下方（手乾燥装置ＨＤを壁面Ｗに設置した場合の下方であり、ｙ軸方向において下方である）から迂回して、ブロアー吸気口２２に至る空気流路である。また、第３空気流路２７は、対面して設けられている他方の吸気口２ｃから吸い込んだ空気が送風機吸気口２２に至る空気流路である。
【００２９】
続いて、図４および図５を参照しながら、設置面である壁面Ｗに水が流れてきた場合の水の流れについて説明する。図５は、図１に示す手乾燥装置の送風機吸気口を前方側から見た状態（ｚ軸方向が正の方向から負の方向へ向けてみた状態）を示す図である。なお、図５において、Ａは、壁面Ｗに存在する水を示しており、矢印は、水Ａの動きの例を表している。
【００３０】
結露の発生や手乾燥装置ＨＤの掃除などにより、設置面である壁面Ｗに水が流れることがある。設置面である壁面Ｗに流れてきた水Ａは、まず、重力により壁面Ｗに沿って下方（ｙ軸正方向）に向かって流れていく。
ここで、ブロアー吸気口２２を通してブロアー２０へと空気を吸い込む力や、空気流路２５、２６、２７における空気量の差などの影響により、ブロアー吸気口２２付近では、空気流が乱流することがある。そのため、ブロアー吸気口２２に縦板２８が形成されていない場合、壁面Ｗに沿って下方へと流れてきた水は、第１ハウジング２ａの背板部４ｄに形成されたブロアー吸気口２２と対向した壁面Ｗ付近において、上述した乱気流に巻き込まれ滞留してしまう。
しかしながら、本実施形態では、ブロアー吸気口２２に、上述したように縦板２８が形成されているため、壁面Ｗに沿って下方へと流れてきた水Ａは、ブロアー吸気口２２と対向した壁面Ｗ付近において滞留することなく、図５の点線で表すように、縦板２８に衝突して集められる。手乾燥装置ＨＤを壁面Ｗに設置した状態で、縦板２８の背面（ｚ軸負方向に向く面）は壁面Ｗと接触しているため、その後、水Ａは、重力により、縦板２８に沿って上方から下方へと流れていく。すなわち、縦板２８により、水Ａは上方から下方へと誘導される。
【００３１】
以上のように、本実施形態に係る手乾燥装置ＨＤでは、ブロアー吸気口２２に、手乾燥装置ＨＤを壁面Ｗに設置した状態で、壁面Ｗと接触し、上方から下方へと水を誘導する縦板２８が設けられている。そのため、ブロアー２０の吸い込む力や空気を吸い込む力や、空気流路２５、２６、２７における空気量の差などの影響により、ブロアー吸気口２２付近で空気流が乱流し、ブロアー吸気口２２と対向した壁面Ｗに存在する水Ａが滞留しようとしても、その水Ａは縦板２８に衝突して集められ、重力により上方から下方へと流れていく。すなわち、ブロアー吸気口２２に縦板２８が設けられていることで、ブロアー吸気口２２と対向した壁面Ｗに存在する水を滞留させることなく、上方から下方へと誘導することができる。従って、ブロアー吸気口２２と対向した壁面Ｗに存在する水Ａが滞留し、その水Ａがブロアー吸気口２２から手乾燥装置ＨＤの内部に侵入してしまうことを防止することができる。
【００３２】
また、縦板２８は、少なくともブロアー吸気口２２の上端２２ａと下端２２ｂとの間に鉛直方向（ｙ軸方向）に形成されているため、ブロアー吸気口２２付近と対向する壁面Ｗに滞留しようとする水Ａを最短距離で誘導することができる。すなわち、壁面Ｗに沿って流れてきた水Ａが縦板２８により上方から下方へと誘導される過程で、縦板２８から離れてしまうことを抑制することができる。
【００３３】
また、ブロアー吸気口２２に、複数の縦板２８が設けられているため、ブロアー吸気口２２付近と対向する壁面Ｗに滞留しようとする水Ａを上方から下方へと効率よく誘導することができる。
【００３４】
なお、本実施形態では、ブロアー吸気口２２に縦板２８が３本形成された例を示したが、これに限らない。例えば、ブロアー吸気口２２には、縦板２８が１本のみ形成されていてもよい。しかしながら、ブロアー吸気口２２付近と対向する壁面Ｗに滞留しようとする水Ａを上方から下方へと効率よく誘導するために、縦板２８は複数形成されていることが好ましい。
【符号の説明】
【００３５】
ＨＤ：手乾燥装置
２：ハウジング
２ａ：第１ハウジング部材
２ｂ：第２ハウジング部材
２ｃ：吸気口
３：手乾燥室
４ａ：上板部
４ｂ、４ｄ：背板部
４ｃ：下板部
５：水受け部
８：吹出口
９：ノズル
１０：センサー
１６：モーター
１８：ヒーター
２０：ブロアー（送風機）
２１：ブロアーケース
２２：ブロアー吸気口（送風機吸気口）
２２ａ：上端
２２ｂ：下端
２３：空気分割壁
２４：入口空気流路
２５：第１空気流路
２６：第２空気流路
２７：第３空気流路
２８：縦板（ガイド部材）
２９：横板
【図２】
2015066229.tif 000003
【図３】
2015066229.tif 000004
【図４】
2015066229.tif 000005
【図５】
2015066229.tif 000006
【図１】
2015066229.tif 000007